(57)【特許請求の範囲】
【請求項１】
ウェブ材を巻き取る巻芯であって、
円筒状の巻芯本体と、
前記巻芯本体の外周面に貼り付けられ緩衝材シートと
を備え、
前記緩衝材シートは、前記巻芯本体の周方向に、第１の緩衝材シートと第２の緩衝材シートとが継ぎ合わされて、前記巻芯本体の外周面に、全周に亘って貼り付けられており、
前記第１の緩衝材シートと前記第２の緩衝材シートとの継ぎ目の少なくも一方は、前記巻芯本体の軸方向に対して傾斜している、巻芯。
【請求項２】
前記第１の緩衝材シートは、前記巻芯本体の周方向に、所定の隙間を開けて、前記巻芯本体の外周面に貼り付けられており、
前記第２の緩衝材シートは、前記隙間の領域に貼り付けられている、請求項１に記載の巻芯。
【請求項３】
前記第１の緩衝材シートは、一対の底辺が、前記巻芯本体の軸方向に垂直な台形をなしており、
前記第２の緩衝材シートは、前記第１の緩衝材シートの一対の斜辺と同じ傾斜角を有する楔形をなしている、請求項１に記載の巻芯。
【請求項４】
前記第２の緩衝材シートの表面は、粘着性を有している、請求項１に記載の巻芯。
【請求項５】
ウェブ材を巻芯に巻き取る巻き取り方法であって、
円筒状の巻芯本体の外周面に、全周に亘って緩衝材シートを貼り付ける工程と、
前記緩衝材シートの上に、前記ウェブ材の端部を貼り付ける工程と、
前記ウェブ材を前記巻芯本体に巻き付ける工程と
を含み、
前記緩衝材シートを貼り付ける工程は、
前記巻芯本体の周方向に、第１の緩衝材シートを貼り付ける工程と、
前記第１の緩衝材シートと継ぎ合わせて、第２の緩衝材シートを貼り付ける工程と
を含み、
前記第１の緩衝材シートと前記第２の緩衝材シートとの継ぎ目の少なくも一方は、前記巻芯本体の軸方向に対して傾斜している、ウェブ材の巻き取り方法。
【請求項６】
前記第１の緩衝材シートは、前記巻芯本体の周方向に、所定の隙間を開けて、前記巻芯本体の外周面に貼り付けられ、
前記第２の緩衝材シートは、前記隙間の領域に貼り付けられる、請求項５に記載のウェブ材の巻き取り方法。
【請求項７】
前記第２の緩衝材シートの表面は、粘着性を有しており、
前記ウェブ材の端部は、前記第２の緩衝材シートの上に貼り付けられる、請求項５に記載のウェブ材の巻き取り方法。
【請求項８】
前記第２の緩衝材シートの上に粘着テープを貼る工程をさらに備え、
前記ウェブ材の端部は、前記粘着テープの上に貼り付けられる、請求項５に記載のウェブ材の巻き取り方法。
【発明の詳細な説明】
【技術分野】
【０００１】
本発明は、ウェブ材を巻き取る巻芯、及びウェブ材を巻芯に巻き取る巻き取り方法に関する。
【背景技術】
【０００２】
フィルムやシート等のウェブ材をロール状に巻き取るには、円筒状の巻芯の外周面にウェブ材の先端を粘着材等で固定した後、巻芯を回転させて巻き取る方法が一般に用いられている。
【０００３】
ところで、巻芯の表面は、一般に硬いために、可塑性を有するウェブ材をロール状に巻き取る場合、巻芯の外周面と、ウェブ材の巻き付け端部との間に段差が生じ、この段差上に巻かれたウェブ材には段差により不可逆な変形が生じる。そして、その変形したウェブ材に巻き重ねられたウェブ材にも同様の変形が転写するため、巻き始めから数周〜数十周以上にわたって、ウェブ材に歪み等の不可逆な段差痕が生じるという問題があった。このような段差痕の発生は、ウェブ材の平坦性を低下させることになり、製品ロスやコストアップの原因になっていた。
【０００４】
このような段差痕の発生を低減させるために、特許文献１には、巻芯の外周面に、緩衝層を設ける技術が開示されている。この技術によれば、ウェブ材の巻き付け端部が、緩衝層内に沈み込むことによって、ウェブ材の厚みによる段差が緩和されるため、段差痕を低減することができる。
【先行技術文献】
【特許文献】
【０００５】
【特許文献１】特開２００５−１６２４７８号公報
【発明の概要】
【発明が解決しようとする課題】
【０００６】
巻芯の外周面に、緩衝層を巻き付ける方法としては、緩衝材シートを、継ぎ目が巻芯の軸方向と平行になるように巻き付ける方法、あるいは、継ぎ目が巻芯の表面に螺旋状になるように巻き付ける方法がある。
【０００７】
ところで、巻芯にウェブ材を巻き取る際は、巻芯の中空部にシャフトを挿入し、このシャフトを回転することにより行われるため、巻芯の内径公差は、非常に小さな値（例えば、内径３インチ（７６．２ｍｍ）の巻芯の仕様の内径公差は±０．２〜０．３ｍｍ）に規制されている。その一方、巻芯の外径公差は、特に規制されておらず、それ故に、巻芯の外径は、寸法がばらついている。そのため、緩衝材シートを、継ぎ目が巻芯の軸方向と平行になるように巻き付けた場合、緩衝材シートの端同士が重なったり、あるいは、継ぎ目に隙間が生じてしまうことがある。このような状態でウェブ材を巻芯に巻き取ると、ウェブ材に、緩衝材シートの重なりや隙間に起因する歪み等が新たに発生するという問題がある。
【０００８】
一方、緩衝材シートを、継ぎ目が巻芯の表面に螺旋状になるように巻き付けた場合は、上記のような問題が生じることは少ないが、自動で巻き取りを行う場合、通常、巻き取り条件（例えば、巻き取り角度等）は一定に設定されているため、巻芯の外径や肉厚のばらつきが大きいと、螺旋状の継ぎ目に重なりや隙間が生じてしまうことがある。このような状態でウェブ材を巻芯に巻き取ると、ウェブ材に、緩衝材シートの重なりや隙間に起因する歪み等が新たに発生するという問題がある。また、自動で巻き取りを行う場合、高価な自動巻き機の設備が必要になるため、コストアップに繋がるという問題がある。
【０００９】
ところで、緩衝材シートが巻き付けられた巻芯にウェブ材を巻き取る際は、緩衝材シートの表面に粘着テープを貼り付け、この粘着テープにウェブ材の端部を貼り付けて固定することによって、ウェブ材が巻芯に巻き取られる。
【００１０】
ウェブ材が巻き取られた巻芯は、例えば、出荷先でウェブ材が巻芯から巻き出されて使用された後、再び、ウェブ材の巻き取りに使用される場合（リサイクル使用）がある。このとき、ウェブ材の端部を固定していた粘着テープは、粘着性が弱くなっているため、粘着テープを一旦剥がして、新しい粘着テープを緩衝材シートの上に貼り付ける必要が生じる。しかしながら、粘着テープを緩衝材シートから剥がす際、緩衝材シートの表面に破損が生じたり、あるいは、取りきれない粘着テープの残渣が生じたりすることがある。もし、緩衝材シートの表面に破損等が生じた状態で、ウェブ材を巻き取ると、ウェブ材に、緩衝材シート表面の破損等に起因する変形等が発生するおそれがある。この場合、緩衝材シートを剥がして、新しい緩衝材シートを巻芯に巻き付ける必要があるため、材料コストが増大するという問題がある。
【００１１】
本発明は、上記課題に鑑みなされたもので、その主な目的は、巻芯本体の外径がばらついても、緩衝材シートを、確実にかつ容易に、継ぎ目に隙間なく貼り付けることができる巻芯及びウェブ材の巻き取り方法を提供することにある。
【００１２】
また、本発明の他の目的は、巻芯をリサイクルして使用する際に、緩衝材シート上に貼り付けたウェブ材固定用の粘着テープが破損したとき、緩衝材シートの貼り替えを、容易にかつ安価に行うことができる巻芯及びウェブ材の巻き取り方法を提供することにある。
【課題を解決するための手段】
【００１３】
本発明に係る巻芯は、ウェブ材を巻き取る巻芯であって、円筒状の巻芯本体と、巻芯本体の外周面に貼り付けられ緩衝材シートとを備え、緩衝材シートは、巻芯本体の周方向に、第１の緩衝材シートと第２の緩衝材シートとが継ぎ合わされて、巻芯本体の外周面に、全周に亘って貼り付けられており、第１の緩衝材シートと第２の緩衝材シートとの継ぎ目の少なくも一方は、巻芯本体の軸方向に対して傾斜していることを特徴とする。
【００１４】
本発明に係るウェブ材の巻き取り方法は、ウェブ材を巻芯に巻き取る巻き取り方法であって、円筒状の巻芯本体の外周面に、全周に亘って緩衝材シートを貼り付ける工程と、緩衝材シートの上に、ウェブ材の端部を貼り付ける工程と、ウェブ材を巻芯本体に巻き付ける工程とを含み、緩衝材シートを貼り付ける工程は、巻芯本体の周方向に、第１の緩衝材シートを貼り付ける工程と、第１の緩衝材シートと継ぎ合わせて、第２の緩衝材シートを貼り付ける工程とを含み、第１の緩衝材シートと第２の緩衝材シートとの継ぎ目の少なくも一方は、巻芯本体の軸方向に対して傾斜していることを特徴とする。
【発明の効果】
【００１５】
本発明によれば、巻芯本体の外径がばらついても、緩衝材シートを、確実にかつ容易に、継ぎ目に隙間なく貼り付けることができる。
【００１６】
また、本発明によれば、巻芯をリサイクルして使用する際に、緩衝材シートの貼り替えを、容易にかつ安価に行うことができる。
【図面の簡単な説明】
【００１７】
【図１Ａ】本発明の一実施形態における巻芯の外周面に貼り付けられる緩衝材シートの構成を模式的に示した図である。
【図１Ｂ】本発明の一実施形態における巻芯の外周面に貼り付けられる緩衝材シートの構成を模式的に示した図である。
【図２Ａ】本発明の一本実施形態における巻芯本体の外周面に、第１及び第２の緩衝材シートを貼り付ける工程を模式的に示した斜視図である。
【図２Ｂ】本発明の一本実施形態における巻芯本体の外周面に、第１及び第２の緩衝材シートを貼り付ける工程を模式的に示した斜視図である。
【図２Ｃ】本発明の一本実施形態における巻芯本体の外周面に、第１及び第２の緩衝材シートを貼り付ける工程を模式的に示した斜視図である。
【図３】本発明の一本実施形態における巻芯本体の外周面に、第１及び第２の緩衝材シートを貼り付ける工程を模式的に示した斜視図である。
【図４】発明の他の実施形態におけるウェブ材を巻芯に巻き取る巻き取り方法を説明する図である。
【図５】発明の他の実施形態におけるウェブ材を巻芯に巻き取る巻き取り方法を説明する図である。
【図６】発明の他の実施形態におけるウェブ材を巻芯に巻き取る巻き取り方法を説明する図である。
【図７Ａ】本発明の他の実施形態における巻芯の外周面に貼り付けられる緩衝材シートの構成を模式的に示した図である。
【図７Ｂ】本発明の他の実施形態における巻芯の外周面に貼り付けられる緩衝材シートの構成を模式的に示した図である。
【図８Ａ】本発明の他の実施形態における第２の緩衝材シートの構成を模式的に示した図である。
【図８Ｂ】本発明の他の実施形態における第２の緩衝材シートの構成を模式的に示した図である。
【図９】本発明の他の実施形態における第１及び第２の緩衝材シートの構成を模式的に示した図である。
【発明を実施するための形態】
【００１８】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１９】
図１Ａ及び図１Ｂは、本発明の一実施形態における巻芯の外周面に貼り付けられる緩衝材シートの構成を模式的に示した図である。
【００２０】
図１Ａに示すように、本実施形態における緩衝材シートは、台形形状の第１の緩衝材シート１１と、楔形形状の第２の緩衝材シート１２との組み合わせからなる。なお、図１Ｂは、第１の緩衝材シート１１及び第２の緩衝材シート１２を分離して配置した図である。
【００２１】
図１Ｂに示すように、第１の緩衝材シート１１は、一対の底辺１１ａ、１１ｂが、巻芯本体（不図示）の軸方向Ｙに垂直な台形をなしている。また、第２の緩衝材シート１２は、一対の斜辺１２ｃ、１２ｄが、第１の緩衝材シート１１の一対の斜辺１１ｃ、１１ｄと軸方向Ｙに対して、同じ傾斜角を有する楔形をなしている。すなわち、第２の緩衝材シート１２の斜辺１２ｃ、１２ｄは、それぞれ、第１の緩衝材シート１１の斜辺１１ｃ、１１ｄと平行になっている。
【００２２】
また、図１Ａに示すように、第１の緩衝材シート１１及び第２の緩衝材シート１２の巻芯本体の周方向Ｘにおける幅を、それぞれ、Ｗ１、Ｗ２としたとき、Ｗ１＋Ｗ２は、巻芯本体の周方向の長さ（円周）に略等しくなるように設定されている。また、第１の緩衝材シート１１の高さＬ１は、巻芯本体の軸方向Ｙの長さに略等しくなるように設定されている。また、第１の緩衝材シート１１の高さＬ２は、巻芯本体の軸方向Ｙの長さより長くなるように設定（Ｌ２＞Ｌ１）されている。
【００２３】
図２Ａ〜図２Ｃ、及び図３は、本実施形態における巻芯本体の外周面に、図１Ａ、１Ｂに示した第１及び第２の緩衝材シート１１、１２を貼り付ける工程を模式的に示した斜視図である。
【００２４】
まず、図２Ａに示すように、円筒状の巻芯本体２０の外周面に、第１の緩衝材シート１１を貼り付ける。このとき、第１の緩衝材シート１１の幅は、巻芯本体２０の円周の長さよりも短いため、第１の緩衝材シート１１は、巻芯本体２０の周方向に、所定の隙間２０ａを開けて、巻芯本体２０の外周面に貼り付けられる。なお、この隙間２０ａは、巻芯本体２０の軸方向に沿って、徐々に拡がっている。
【００２５】
次に、図２Ｂに示すように、第２の緩衝材シート１２を、隙間２０ａの領域に貼り付ける。このとき、第２の緩衝材シート１２を、隙間２０ａの外周面に沿って、矢印Ａの方向にスライドさせることによって、容易に、隙間２０ａの領域に嵌め込むことができる。また、第２の緩衝材シート１２の斜辺１２ｃ、１２ｄは、それぞれ、第１の緩衝材シート１１の斜辺１１ｃ、１１ｄと平行になっているため、図２Ｃに示すように、第１の緩衝材シート１１と第２の緩衝材シート１２との２箇所の継ぎ目（１１ｃ、１２ｃと１１ｄ、１２ｄ）を、隙間なく貼り付けることできる。さらに、巻芯本体２０の外径がばらついて、隙間２０ａの幅が変化しても、第２の緩衝材シート１２のスライド量を調整することによって、確実にかつ容易に、第１の緩衝材シート１１と第２の緩衝材シート１２との継ぎ目を、隙間なく貼り付けることができる。
【００２６】
なお、第２の緩衝材シート１２の長さＬ２は、巻芯本体２０の軸方向の長さＬ１よりも長く設定されているため、図２Ｃに示すように、第２の緩衝材シート１２の軸方向両端部において、巻芯本体２０からはみ出た部分１３ａ、１３ｂが生じることになる。そこで、はみ出た部分１３ａ、１３ｂを切断することによって、図３に示すように、巻芯本体２０の外周面に緩衝材シート１０（１１、１２）が貼り付けられた巻芯を得ることができる。
【００２７】
ここで、第１の緩衝材シート１１及び第２の緩衝材シート１２の巻芯本体２０への貼り付けは、例えば、巻芯本体２０の表面、若しくは、第１の緩衝材シート１１の貼り付ける面に、粘着剤等を塗布して行うことができる。あるいは、第１の緩衝材シート１１を両面接着テープを介して、巻芯本体２０の表面に貼り付けてもよい。
【００２８】
本実施形態におけるウェブ材を巻き取る巻芯は、円筒状の巻芯本体２０と、巻芯本体２０の外周面に貼り付けられ緩衝材シート１０とを備え、緩衝材シート１０は、巻芯本体２０の周方向に、第１の緩衝材シート１１と第２の緩衝材シート１２とが継ぎ合わされて、巻芯本体２０の外周面に、全周に亘って貼り付けられており、第１の緩衝材シート１１と第２の緩衝材シート１２との継ぎ目は、巻芯本体２０の軸方向に対して傾斜していることを特徴とする。
【００２９】
このような構成により、第１の緩衝材シート１１と第２の緩衝材シート１２との継ぎ目を、隙間なく貼り付けることできるとともに、巻芯本体２０の外径がばらついても、第２の緩衝材シート１２の軸方向のスライド量を調整することによって、確実にかつ容易に、第１の緩衝材シート１１と第２の緩衝材シート１２との継ぎ目を、隙間なく貼り付けることができる。
【００３０】
次に、図４〜図６を参照しながら、本発明の他の実施形態におけるウェブ材を巻芯に巻き取る巻き取り方法を説明する。
【００３１】
まず、図４に示すように、図３に示した緩衝材シート１０（１１、１２）が貼り付けられた巻芯を用意して、第２の緩衝材シート１２の上に、粘着テープ３０を貼り付ける。
【００３２】
次に、図５に示すように、粘着テープ３０に、ウェブ材４０の端部４０ａを貼り付ける。なお、図５では、ウェブ材４０の端部４０ａを、その先端部が、第２の緩衝材シート１２上にくるように配置したが、第１の緩衝材シート１１Ｂにくるように配置してもよい。ここで、図５は、巻芯の外周の一部を、巻芯の軸方向から見た拡大部分断面図である。
【００３３】
次に、図６に示すように、ウェブ材４０を巻芯本体２０に巻き付ける。ここで、図６は、巻芯本体２０に、１周目から３周目のウェブ材４０Ａ、４０Ｂ、４０Ｃが巻き取られた状態を示した拡大部分断面図である。
【００３４】
図６に示すように、ウェブ材４０の端部４０ａは、２周目以降のウェブ材４０Ｂ、４０Ｃの巻き取りによって、第２の緩衝材シート１２のウェブ材端部４０ａに接触する部位１２Ａ、及び部位１２Ａ近傍の第１の緩衝材シート１１の部位１１Ａが、ウェブ材４０Ａの厚み分だけ沈み込む。これにより、ウェブ材端部４０ａの段差に起因して発生する段差痕を抑制することができる。
【００３５】
このようにウェブ材４０が巻き取られた巻芯は、例えば、出荷先でウェブ材４０が巻き出されて使用された後、再び、ウェブ材４０の巻き取りに使用される。このとき、ウェブ材端部４０ａを固定していた粘着テープ３０は、粘着性が弱くなっているため、粘着テープ３０を一旦剥がして、新しい粘着テープ３０を第２の緩衝材シート１２の上に貼り付ける必要が生じる。しかしながら、粘着テープ３０を緩衝材シートから剥がす際、緩衝材シートの表面に破損等が生じるおそれがある。もし、緩衝材シートの表面に破損等が生じた状態で、ウェブ材４０を巻き取ると、ウェブ材４０に、緩衝材シート表面に破損等に起因する変形等が発生するおそれがある。この場合、緩衝材シートを剥がして、新しい緩衝材シートを巻芯に巻き付ける必要がある。
【００３６】
従来のように、一枚の緩衝材シートを、継ぎ目が巻芯の軸方向と平行になるように巻き付ける方法、あるいは、継ぎ目が巻芯の表面に螺旋状になるように巻き付ける方法で、巻芯本体２０に貼り付けていた場合には、緩衝材シートを全部剥がして、新しい緩衝材シートを貼り付ける必要がある。
【００３７】
これに対して、本実施形態では、粘着テープ３０は、第２の緩衝材シート１２の上に貼り付けられているため、第２の緩衝材シート１２を貼り替えるだけでよい。特に、第２の緩衝材シート１２は、巻芯本体２０の外径がばらついて、隙間２０ａの幅が変化しても、第１の緩衝材シート１１との継ぎ目に隙間が生じないよう、その調整を行う機能を有していればよいため、第１の緩衝材シート１１に比べて、第２の緩衝材シート１２の面積を、必要最小限に小さくすることができる。従って、巻芯をリサイクルして使用する際に、従来に比べて、材料コストを大幅に削減することができる。
【００３８】
本実施形態において、緩衝材シート１０（１１、１２）は、弾性若しくは可塑性を有し、段差痕の低減に効果を奏する特性を有するものであれば、その材料や厚み等は特に限定されない。例えば、緩衝材シート１０（１１、１２）の材料として、ポリオレフィン系、ポリスチレン系、ポリウレタン系等からなる発泡樹脂や、アクリルゴム等からなるゴム類などを用いることができる。
【００３９】
本実施形態において、ウェブ材４０は、帯状の長尺物であれば特に限定されず、例えば、金属箔、プラスチックフィルム、紙シート、布シート、あるいは、これらのいずれかが積層されたもの等が挙げられる。
【００４０】
また、巻芯本体２０は、ウェブ材４０を巻き取る上での必要な強度を有していれば、その材料は特に限定されず、例えば、紙や樹脂、金属等の材料を用いることができる。
【００４１】
以上、本発明を好適な実施形態により説明してきたが、こうした記述は限定事項ではなく、もちろん、種々の改変が可能である。
【００４２】
例えば、上記実施形態では、第１の緩衝材シート１１及び第２の緩衝材シート１２を、図１Ａ、１Ｂに示したような形状を例に説明したが、このような形状に限定されるものではなく、第１の緩衝材シート１１と第２の緩衝材シート１２との継ぎ目の少なくとも一方が、巻芯本体２０の軸方向に対して傾斜していればよい。例えば、第１の緩衝材シート１１及び第２の緩衝材シート１２は、図７Ａ、７Ｂに示すような形状のものであってもよい。すなわち、第１の緩衝材シート１１は、一対の底辺１１ａ、１１ｂが、巻芯本体２０の軸方向Ｙに垂直な台形であって、一対の辺１１ｃ、１１ｄのうち、一方の辺１１ｄだけが、底辺１１ａ、１１ｂに対して傾斜をなしている。また、第２の緩衝材シート１２は、第１の緩衝材シート１１の一対の辺１１ｃ、１１ｄと、それぞれ傾斜角が同じ一対の辺１２ｃ、１２ｄを有する楔形をなしている。また、本実施形態において、第２の緩衝材シート１２の形状を、「楔形」と称しているが、図１Ｂ、図７Ｂに示したように、その先端は、必ずしも尖った形（三角形）である必要はない。
【００４３】
また、上記実施形態では、第１の緩衝材シート１１と第２の緩衝材シート１２とを継ぎ合わせて緩衝材シート１０を構成したが、第１の緩衝材シート１１及び／又は第２の緩衝材シート１２が、それぞれ複数の緩衝材シートで構成されていても構わない。
【００４４】
また、上記実施形態では、第２の緩衝材シート１２の上に、ウェブ材４０の端部４０ａを固定するための粘着テープ３０を貼り付けたが、これに限定されず、例えば、第２の緩衝材シート１２として、表面が粘着性を有するものを用いてもよい。これにより、ウェブ材４０の端部４０ａを、直接、緩衝材シート１２に貼り付けて固定することができるため、作業コストや材料コストの低減を図ることができる。
【００４５】
表面が粘着性を有する緩衝材シート１２としては、例えば、弾性または可塑性を有する材料からシートの表面に、粘着剤を形成したものを用いることができる。あるいは、緩衝材シート１２を、可塑性及び自己粘着性を有する材料で構成してもよい。このような緩衝材シート１２として、例えば、アクリル系、シリコーン系、ゴム系、エラストマー系、ウレタン系、ビニル系等の材料を用いることができる。
【００４６】
なお、第１の緩衝材シート１１及び第２の緩衝材シート１２は、同じ材料で構成することが好ましいが、別の材料で構成してもよい。
【００４７】
上記実施形態では、図２Ｂに示したように、第２の緩衝材シート１２を、隙間２０ａの外周面に沿ってスライドさせて、隙間２０ａの領域に嵌め込むようにしたが、第２の緩衝材シート１２の巻芯本体２０側の面（裏面）が、粘着性を有していると、第２の緩衝材シート１２をスムーズにスライドさせづらくなる。そこで、図８に示すように、第２の緩衝材シート１２の裏面に、離型フィルム５０を貼っておけば、第２の緩衝材シート１２をスムーズにスライドさせることができる。このとき、離型フィルム５０を、図８Ａに示すように、切り取り線５１に沿って、互いに分離可能にしておくことが好ましい。この場合、まず、離型フィルム５０を付けたまま、第２の緩衝材シート１２をスライドさせて、隙間２０ａの領域に嵌め込んだ後、その状態を維持したまま、一方の離型フィルム５０ａを剥がして、当該部位の第２の緩衝材シート１２を巻芯本体２０に貼り付けて固定し、その後、他方の離型フィルム５０ｂを剥がして、当該部位の第２の緩衝材シート１２を巻芯本体２０に貼り付ける。これにより、第２の緩衝材シート１２を隙間２０ａの領域に嵌め込んだ後も、位置ズレを起こすことなく、容易に、第２の緩衝材シート１２を巻芯本体２０に貼り付けることができる。
【００４８】
なお、図８Ａでは、離型フィルム５０を、１本の切り取り線５１に沿って、２つの離型フィルム５０ａ、５０ｂに分離可能としたが、例えば、図８Ｂに示すように、離型フィルム５０に、２本の切り取り線５１を設けるようにしてもよい。この場合、まず、２本の切り取り線５１に沿って、真ん中の離型フィルム５０ａを剥がして、当該部位の第２の緩衝材シート１２を巻芯本体２０に貼り付けて固定し、その後、両側の離型フィルム５０ｂを剥がして、当該部位の第２の緩衝材シート１２を巻芯本体２０に貼り付けることができる。
【００４９】
本実施形態では、巻芯本体２０の外径がばらついても、第１の緩衝材シート１１と第２の緩衝材シート１２との継ぎ目を、隙間なく貼り付けることができるが、第１及び第２の緩衝材シート１１、１２の端面が、それぞれ、第１及び第２の緩衝材シート１１、１２の面方向に対して垂直になっていると、継ぎ目のところで、Ｖ字状の溝ができるおそれがある。そこで、図９に示すように、第１及び第２の緩衝材シート１１、１２の端面１４ａ、１５ａを、それぞれ、第１及び第２の緩衝材シート１１、１２の面方向に対して傾斜させておくことによって、継ぎ目のところで、Ｖ字状の溝ができるのを防止することができる。なお、このとき、図９に示すように、第２の緩衝材シート１２と両端面１５ａ、１５ａの傾斜を、第２の緩衝材シート１２の幅が、巻芯本体２０側に向かって減少するように形成しておくことが好ましい。このようにすれば、第２の緩衝材シート１２を、第１の緩衝材シート１１の隙間２０ａの上方からも、スムーズに隙間２０ａの領域に嵌め込むことができる。
【符号の説明】
【００５０】
１０      緩衝材シート 
１１      第１の緩衝材シート 
１２      第２の緩衝材シート 
２０      巻芯本体 
２０ａ    隙間 
３０      粘着テープ 
４０      ウェブ材 
５０      離型フィルム 
【要約】      （修正有）【課題】巻芯本体の外径がばらついても、緩衝材シートを、確実にかつ容易に、継ぎ目に隙間なく貼り付けることができる巻芯及びウェブ材の巻き取り方法を提供する。【解決手段】巻芯は、ウェブ材を巻き取る巻芯であって、円筒状の巻芯本体２０と、巻芯本体の外周面に貼り付けられ緩衝材シート１０とを備え、緩衝材シートは、巻芯本体の周方向に、第１の緩衝材シート１１と第２の緩衝材シート１２とが継ぎ合わされて、巻芯本体の外周面に、全周に亘って貼り付けられており、第１の緩衝材シートと第２の緩衝材シートとの継ぎ目の少なくも一方は、巻芯本体の軸方向に対して傾斜している。【選択図】図３【図１Ａ】
0005874094.tif 000002
【図１Ｂ】
0005874094.tif 000003
【図２Ａ】
0005874094.tif 000004
【図２Ｂ】
0005874094.tif 000005
【図２Ｃ】
0005874094.tif 000006
【図３】
0005874094.tif 000007
【図４】
0005874094.tif 000008
【図５】
0005874094.tif 000009
【図６】
0005874094.tif 000010
【図７Ａ】
0005874094.tif 000011
【図７Ｂ】
0005874094.tif 000012
【図８Ａ】
0005874094.tif 000013
【図８Ｂ】
0005874094.tif 000014
【図９】
0005874094.tif 000015